(57)【要約】【課題】使用すべき用紙の選択を誤ることなく、且つそのための操作も簡単にできる給紙装置を提供する。【解決手段】用紙を堆積収容可能な第１収容部３ｂを有したメイン給紙トレイ３の上方に、小サイズの用紙が収容可能な第２収容部３０ｂを有するサブ給紙トレイ３０が給送方向に沿って進退動可能に配置され、サブ給紙トレイ３０には、当該サブ給紙トレイ３０をメイン給紙トレイ３における給送方向下流側の所定係合位置に対して係合するメインロック機構４４と、該メインロック機構４４のロック位置とロック解除位置とに選択的に位置変更可能な操作部４６と、メインロック機構をロック解除した状態で、メイン給紙トレイ３と共にサブ給紙トレイを給送方向の前後に移動するとき、収容部枠２０に対する移動のロック・アンロック作用を有する係合体５１とサブ被係合部５３と付勢手段とを備えたサブロック機構４８とを備えた。【選択図】図１１
2011073825.tif 000002
【特許請求の範囲】
【請求項１】
複数枚の被記録媒体を堆積収容可能な第１収容部を有し、この収容部内の被記録媒体を装置本体における記録部に向かって給送するためのメイン給紙トレイと、このメイン給紙トレイ上にて、給送方向に沿って進退動可能に配置され、前記メイン給紙トレイにおける被記録媒体と異なる小サイズの少なくとも１枚の被記録媒体を堆積収容可能な第２収容部を有するサブ給紙トレイが備えられている給紙装置であって、
前記サブ給紙トレイには、当該サブ給紙トレイをメイン給紙トレイにおける給送方向下流側の所定係合位置に対して係合するメインロック機構と、該メインロック機構のロック位置とロック解除位置とに選択的に位置変更可能な操作部と、
前記メインロック機構をロック解除した状態で、前記メイン給紙トレイと共に前記サブ給紙トレイを前記給送方向の前後に移動するとき、前記装置本体に対する移動のロック・アンロック作用を有するサブロック機構とを備えたことを特徴とする給紙装置。
【請求項２】
前記サブロック機構のロック力は、前記メインロック機構によるロック力より弱いことを特徴とする請求項１に記載の給紙装置。
【請求項３】
前記操作部は、前記メイン給紙トレイから、又は前記サブ給紙トレイからのいずれか一方の給紙動作を選択するための指示部と、前記ロック位置またはロック解除位置の選択手段とを兼用していることを特徴とする請求項１または２に記載の給紙装置。
【請求項４】
前記メインロック機構及び前記サブロック機構は、前記装置本体に対する前記各給紙トレイの移動方向と交叉する方向に作動するように構成されていることを特徴とする請求項１乃至３のいずれかに記載の給紙装置。
【請求項５】
前記メイン給紙トレイには、前記給送方向の上流側及び下流側への前記サブ給紙トレイの移動量を規制するための規制部が設けられていることを特徴とする請求項１乃至４のいずれかに記載の給紙装置。
【請求項６】
前記サブ給紙トレイには、前記第２収容部よりも前記給送方向上流側部位に排紙受け部が一体的に形成され、
前記サブ給紙トレイを被記録媒体の給送方向下流側に移動させたとき、前記メイン給紙トレイにおける前記給送方向上流側の上面が開放されることを特徴とする請求項１乃至５のいずれかに記載の給紙装置。
【請求項７】
請求項１乃至６のいずれかに記載のメイン給紙トレイ及びサブ給紙トレイと、前記各給紙カセットからＵターンパスを介して給送された被記録媒体に画像を記録するための画像記録部とを備えたことを特徴とする画像形成装置。
【発明の詳細な説明】
【技術分野】
【０００１】
本発明は、堆積された被記録媒体を１枚ずつ分離して記録部等に給送する給紙装置及びそれを備えた画像形成装置に関するものである。
【背景技術】
【０００２】
従来から、各種プリンタやファクシミリ等の画像形成装置には、記録用の多数枚の被記録媒体（以下、単に用紙という）を堆積して収容した上面開放形の給紙トレイから給紙ローラの回転により用紙を１枚ずつ分離して画像記録部側へ給送する給紙装置が備えられている。
【０００３】
そして、用紙のサイズや材質（品質）の異なる用紙を別々の給紙トレイに収容して、ユーザーが使用を希望する時に、必要な給紙トレイから給紙を行うようにした画像形成装置は種々知られている。
【０００４】
例えば、特許文献１に開示されている画像形成装置では、多数枚のＡ４サイズまたはリーガルサイズの用紙（普通紙）を堆積収容可能な第１収容部を有し、この第１収容部内の用紙を第１収容部前端（給送方向下流側端部）に設けられた傾斜分離部と給紙ローラとにより１枚ずつＵターンパスを介して記録部に給送するためのメイン給紙トレイと、このメイン給紙トレイの第１収容部上にて、給紙ローラに対して進退動可能に配置され、第１収容部における用紙と異なる小サイズ、例えば葉書サイズの用紙を少なくとも１枚収容可能な第２収容部を有するサブ給紙トレイとが備えられ、装置本体の前面開口部から、メイン給紙トレイ及びサブ給紙トレイがそれぞれ進退動可能とするものがある。
【０００５】
そして、特許文献１では、メイン給紙トレイに対してサブ給紙トレイをその用紙の給送可能位置と、非使用位置とで位置決め固定するためのロック機構が設けられていることが開示されている。
【０００６】
そのため、サブ給紙トレイをメイン給紙トレイの給送方向下流側端部（給送可能位置）まで移動させた位置で固定すると、サブ給紙トレイ上の用紙のみが画像記録部に給送可能となる。他方、サブ給紙トレイをメイン給紙トレイの給送方向上流側端部（非使用位置）へ移動させた位置で固定すると、サブ給紙トレイ上の用紙の給送動作は不能となる一方、メイン給紙トレイ上の用紙が画像記録部に給送可能となるのであった。
【先行技術文献】
【特許文献】
【０００７】
【特許文献１】特開２００６−２３０７７７号公報（図８〜図１０参照）
【発明の概要】
【発明が解決しようとする課題】
【０００８】
しかしながら、特許文献１の構成によれば、ユーザーが「(i) サブ給紙トレイ上の用紙に画像記録したい場合」と「(ii)メイン給紙トレイ上の用紙に画像記録したい場合」とによって、ロック機構を一旦ロック解除したのち、サブ給紙トレイを給送方向の下流側か上流側かのいずれか一方に位置をずらした上で、再度ロック操作する必要があるので、これら一連の操作が面倒であった。
【０００９】
しかも、サブ給紙トレイのメイン給紙トレイに対する「上流側の位置」若しくは「下流側の位置」が上記(i) の場合に相当するのか、(ii)の場合に相当するのかの判断は、ユーザーが使用説明書を読んで理解するか、熟練している場合である。逆に、頻繁に使用しないユーザーや初心者は、上記の判断が難しく、サブ給紙トレイを誤った位置でロックすると、予想しない用紙に画像記録されて、用紙や時間を無駄にしてしまうという問題もあった。
【００１０】
本発明は、上記課題を解消するものであり、簡単な構成にて、使用すべき用紙の選択を誤ることなく、且つそのための操作も簡単にできる給紙装置及びそれを備えた画像形成装置の提供を目的とするものである。
【課題を解決するための手段】
【００１１】
上記の目的を達成するため、請求項１の発明は、複数枚の被記録媒体を堆積収容可能な第１収容部を有し、この収容部内の被記録媒体を装置本体における記録部に向かって給送するためのメイン給紙トレイと、このメイン給紙トレイ上にて、給送方向に沿って進退動可能に配置され、前記メイン給紙トレイにおける被記録媒体と異なる小サイズの少なくとも１枚の被記録媒体を堆積収容可能な第２収容部を有するサブ給紙トレイが備えられてなる給紙装置であって、前記サブ給紙トレイには、当該サブ給紙トレイをメイン給紙トレイにおける給送方向下流側の所定係合位置に対して係合するメインロック機構と、該メインロック機構のロック位置とロック解除位置とに選択的に位置変更可能な操作部と、前記メインロック機構をロック解除した状態で、前記メイン給紙トレイと共に前記サブ給紙トレイを前記給送方向の前後に移動するとき、前記装置本体に対する移動のロック・アンロック作用を有するサブロック機構とを備えたものである。
【００１２】
請求項２に記載の発明は、請求項１に記載の給紙装置において、前記サブロック機構のロック力は、前記メインロック機構によるロック力より弱いことを特徴とするものである。
【００１３】
請求項３に記載の発明は、請求項１または２に記載の給紙装置において、前記操作部は、前記メイン給紙トレイから、又は前記サブ給紙トレイからのいずれか一方の給紙動作を選択するための指示部と、前記ロック位置またはロック解除位置の選択手段とを兼用しているものである。
【００１４】
請求項４に記載の発明は、請求項１乃至３のいずれかに記載の給紙装置において、前記メインロック機構及び前記サブロック機構は、前記装置本体に対する前記各給紙トレイの移動方向と交叉する方向に作動するように構成されているものである。
【００１５】
請求項５に記載の発明は、請求項１乃至４のいずれかに記載の給紙装置において、前記メイン給紙トレイには、前記給送方向の上流側及び下流側への前記サブ給紙トレイの移動量を規制するための規制部が設けられているものである。
【００１６】
請求項６に記載の発明は、請求項１乃至５のいずれかに記載の給紙装置において、前記サブ給紙トレイには、前記第２収容部よりも前記給送方向上流側部位に排紙受け部が一体的に形成され、前記サブ給紙トレイを被記録媒体の給送方向下流側に移動させたとき、前記メイン給紙トレイにおける前記給送方向上流側の上面が開放されるものである。
【００１７】
請求項７に記載の発明の画像形成装置は、請求項１乃至６のいずれかに記載の給紙装置と、前記各給紙トレイからＵターンパスを介して給送された被記録媒体に画像を記録するための画像記録部とを備えたことを特徴とするものである。
【発明の効果】
【００１８】
請求項１に記載の発明によれば、被記録媒体を堆積収容する第１収容部上が備えられたメイン給紙トレイの上に、給送方向に沿って進退動可能に配置され、前記メイン給紙トレイにおける被記録媒体と異なる小サイズの少なくとも１枚の被記録媒体を堆積収容可能な第２収容部を有するサブ給紙トレイが備えられ、サブ給紙トレイには、当該サブ給紙トレイをメイン給紙トレイにおける給送方向下流側の所定係合位置に対して係合するメインロック機構と、該メインロック機構のロック位置とロック解除位置とに選択的に位置変更可能な操作部を備えている。従って、操作部を操作してメインロック機構のロック位置とロック解除位置とを選択するだけで、使用者は、使用を希望する被記録媒体の種類（サイズ）を選択することができる。そして、メインロック機構をロック解除した状態で、前記メイン給紙トレイと共に前記サブ給紙トレイを前記給送方向の前後に移動するとき、前記装置本体に対する移動のロック・アンロック作用を有するサブロック機構とを備えたものであるから、使用者は、使用を希望する被記録媒体の種類（サイズ）を選択する毎に、サブ給紙トレイを給紙可能位置と非給紙可能位置とに移動させる必要がなく、使用すべき用紙の選択を誤ることなく、且つそのための操作も簡単にできるという効果を奏する。
【００１９】
請求項２に記載の発明によれば、前記サブロック機構のロック力は、前記メインロック機構によるロック力より弱いから、メインロック機構によるロックと解除との動作が優先されると共に、メインロック機構によるロック位置にて、サブ給紙トレイが給紙可能位置に限定されるという半自動選択動作が可能となる。その結果、画像記録の操作が簡単となるという効果を奏する。
【００２０】
請求項３に記載の発明によれば、前記操作部は、前記メイン給紙トレイから、又は前記サブ給紙トレイからのいずれか一方の給紙動作を選択するための指示部と、前記ロック位置またはロック解除位置の選択手段とを兼用しているものであるから、使用したい被記録媒体を選択するように操作部を移動させるための切り換えだけで、メイン給紙トレイとサブ給紙トレイとの相対的な位置関係が半自動的に決定（選択）でき、且つ小サイズの被記録媒体に対する画像記録作業が使用者の意図に従って自動的に行えるという効果を奏する。
【００２１】
請求項４に記載の発明によれば、前記メインロック機構及び前記サブロック機構は、前記装置本体に対する前記各給紙トレイの移動方向と交叉する方向に作動するように構成されているものである。そのため、簡単な構成でロック作用が確実となる。
【００２２】
請求項５に記載の発明によれば、メイン給紙トレイには、前記給送方向の上流側及び下流側への前記サブ給紙トレイの移動量を規制するための規制部が設けられているものであるため、サブ給紙トレイとメイン給紙トレイとの相対的移動の範囲が不必要にずれることがない。
【００２３】
請求項６に記載の発明によれば、サブ給紙トレイには、前記第２収容部よりも前記給送方向上流側部位に排紙受け部が一体的に形成されているので、画像記録のちに排出された被記録媒体の受け部を別部材にて形成する必要がなく、また、前記サブ給紙トレイを被記録媒体の給送方向下流側に移動させたとき、前記メイン給紙トレイにおける前記給送方向上流側の上面が開放されるものであるから、メイン給紙トレイ対する被記録媒体の補給作業も容易にできる。
【００２４】
請求項７に記載の発明によれば、画像形成装置は、請求項１乃至６のいずれかに記載の給紙装置と、前記各給紙トレイからＵターンパスを介して給送された被記録媒体に画像を記録するための画像記録部とを備えたものであるので、画像形成装置の高さ方向の寸法を小さくしてコンパクト化を図ることができる。
【図面の簡単な説明】
【００２５】
【図１】画像形成装置の全体斜視図である。
【図２】メイン給紙トレイ上のサブ給紙トレイを非使用位置に移動させた状態の側断面図である。
【図３】メイン給紙トレイ上のサブ給紙トレイを非使用位置に移動させた状態の平面図である。
【図４】サブ給紙トレイをメイン給紙トレイに対して移動させて給送状態としたときの側断面図である。
【図５】サブ給紙トレイをメイン給紙トレイに対して移動させて給送状態としたときの平面図である。
【図６】操作部付きロック体の斜視図である。
【図７】メイン給紙トレイに対してサブ給紙トレイを給送方向下流側へ移動させた状態での操作部（ロック体）の位置を「メイン」給紙トレイ使用の態様（メインモード）へ移動させた様子を示す斜視図である。
【図８】（Ａ）は表示部における「メイン」給紙トレイ使用位置に操作部を位置させた状態の拡大斜視図、（Ｂ）は表示部における「サブ」給紙トレイ使用位置に操作部を位置させた状態の拡大斜視図である。
【図９】図８（Ｂ）の平面図である。
【図１０】抵抗部の要部拡大平面図である。
【図１１】（Ａ）〜（Ｃ）はサブモードの使用態様を示す説明図である。
【図１２】（Ａ）〜（Ｅ）はメインモードの使用態様を示す説明図である。
【発明を実施するための形態】
【００２６】
本実施形態の画像形成装置１は、プリンタ機能、コピー機能、スキャナ機能、ファクシミリ機能を備えた多機能装置（ＭＦＤ：Multi Function Device ）に本発明を適用したものであり、図１に示すように、画像形成装置１における合成樹脂製の記録装置本体としての合成樹脂製の射出成形品からなるハウジング２の底部には、その前側の開口部２ａから挿抜可能なメイン給紙トレイ３が配置されている。このメイン給紙トレイ３の上面には、サブ給紙トレイ３０が給送方向に進退動可能に装着されている。
【００２７】
ハウジング２の上部には、コピー機能やファクシミリ機能における原稿読取などのための画像読取装置１２が配置されている。この画像読取装置１２は図示しない枢軸部を介してハウジング２の一側端に対して上下開閉回動可能に構成され、さらに、画像読取装置１２の上面を覆う原稿カバー体１３の後端は画像読取装置１２の後端に対してを中心に上下回動可能に装着されている。
【００２８】
ハウジング２の上側には、画像読取装置１２の前方に各種操作ボタンや液晶表示部等を備えた操作パネル部１４が設けられている。そして、画像読取装置１２の上面には、原稿カバー体１３を上側に開けて原稿を載置することができる載置用ガラス板が設けられ、その下側に原稿読取り用の密着型イメージセンサ（ＣＩＳ：Contact Image Sensor) が主走査方向（図１におけるＹ軸方向）に延びるガイドシャフトに沿って往復移動可能に設けられている。
【００２９】
図１において、ハウジング２の前面右側には、図示しないインク貯蔵部にインクカートリッジを出し入れするための扉２ｂが設けられている。
【００３０】
インク貯蔵部には、フルカラー記録のための４色のインクを各々収容したほぼ矩形箱状のインクカートリッジ（個別の色、即ち、ブラック（ＢＫ）、シアン（Ｃ）、マゼンタ（Ｍ）、イエロー（Ｙ）用インクのカートリッジ）を、Ｙ軸線方向に沿って一列状に収容でき、ハウジングの前面から着脱可能となるように構成されている。
【００３１】
そして、各インクカートリッジからインクジェット式の記録ヘッド４に複数本（実施形態では４本）のインク供給管（インクチューブ）を介してインクを供給するように構成されている。
【００３２】
記録部７は、図２及び図４に示すように、上面が開放された箱型のメインフレーム（図示せず）とその左右一対の側板にて支持され、Ｙ軸方向（主走査方向）に延びる横長の板状の第１及び第２ガイド部材２２、２３との間に形成される。記録部７における記録ヘッド４が下面側に搭載されたキャリッジ５は、用紙搬送方向の上流側の第１ガイド部材２２及び下流側の第２ガイド部材２３に跨がって摺動自在に支持（搭載）されて往復移動可能となっている。
【００３３】
キャリッジ５を往復移動させるために、用紙搬送方向（Ｘ軸方向）の下流側に配置された第２ガイド部材２３の上面には、主走査方向（Ｙ軸方向）に延びるように配置されたタイミングベルトがプーリに巻回されており、そのタイミングベルトを駆動するＣＲ（キャジッジ）モータ（共に図示せず）は第２ガイド部材２３の下面に固定されている。
【００３４】
キャリッジ５における記録ヘッド４の下面と対峙するようにＹ軸方向に延びる扁平状のプラテン２６は、前記両ガイド部材２２、２３の間であって、メインフレームの底板の上方に固定されている。
【００３５】
また、プラテン２６を挟んで搬送上流側には、用紙Ｐ（Ｐ１）を記録ヘッド４の下面に送るためのレジストローラ（搬送ローラ）対２７が配置されており、プラテン２６の下流側には記録済みの用紙Ｐ（Ｐ１）を、サブ給紙トレイ３０の上面に設けられた排紙受け部３１上に搬送するための排紙ローラ対２８が配置されている（図２、図４参照）。
【００３６】
［給紙装置］
次に、給紙装置の構成について詳述する。実施形態では、多数枚の用紙Ｐを堆積収容可能な第１収容部３ｂを備え、この第１収容部３ｂ内の用紙Ｐを１枚ずつ、給送手段６により記録部７に給送するためのメイン給紙トレイ３と、このメイン給紙トレイ３の第１収容部３ｂ上にて、メイン給紙トレイ３及び給送手段６に対して進退動可能に配置され、メイン給紙トレイ３における用紙Ｐと異なるサイズ（小さいサイズであり、葉書または写真のＬ版等）の複数枚（少なくとも１枚以上）の用紙Ｐ１を第２収容部３０ｂに堆積収容可能なサブ給紙トレイ３０とが備えられている（図２〜図５参照）。
【００３７】
メイン給紙トレイ３のケース（本体部）は、底板３ａと左右両側板３ｃと把手部３ｄを備えた上流側端部板３ｅとにより構成されている。メイン給紙トレイ３は、例えばＡ４サイズ、レターサイズ、リーガルサイズ等の大きいサイズにカットされた用紙Ｐをその短辺がＹ軸方向（主走査方向）に延びるようにして多数枚積載（堆積）させて収容できる形態とする。メイン給紙トレイ３の第１収容部３ｂへの用紙Ｐの最大堆積量は、実施形態では普通紙で１００枚程度、堆積高さはほぼ１０ｍｍ程度とする。
【００３８】
なお、メイン給紙トレイ３における第１収容部３ｂには、当該第１収容部３ｂ内の用紙Ｐの給送方向と平行な側縁を案内し、且つ位置決めするための一対のサイドガイド４０と、用紙Ｐの給送方向上流側端縁の位置を規制するリヤガイド４１とが設けられている（図２、図３及び図５参照）。また、メイン給紙トレイ３の先端（給送方向の下流側、図２及び図３参照）には、用紙分離用の傾斜分離板８が配置されている。さらに、傾斜分離板８の幅方向（Ｙ軸方向）の中央部の内面（表面）側には、分離手段としての弾性分離パッド８ａ（実施形態では金属板バネ製である）が設けられている。
【００３９】
実施形態では、給送手段６における合成樹脂製のアーム体６ｃは駆動軸６ｄを中心にして上下回動可能であり、アーム体６ｃは傾斜分離板８に近づくように延び、アーム体６ｃ先端部に給紙ローラ６ａが配置され、駆動軸６ｄから図示しない歯車伝動機構を介して給紙ローラ６ａを回転駆動する。
【００４０】
そして、図３に示すように、メイン給紙トレイ３をハウジング２における収容部枠２０のうち奥側部材２０ａに対して最接近する給紙可能位置まで押し込んだ位置では、メイン給紙トレイ３における傾斜分離板８が上横向きのＵターンパス９の下端部に接近しており、且つ給紙ローラ６ａが第１収容部３ｂに堆積収容された用紙Ｐの最上層の位置に当接している状態となる（図２参照）。なお、サブ給紙トレイ３０を用紙の給送方向下流側に移動させたとき、メイン給紙トレイ３における給送方向上流側の上面が開放される（図４、図５及図７参照）。
【００４１】
他方、サブ給紙トレイ３０には、第２収容部３０ｂの後方（給送方向上流側部位）に、トレイ状の排紙受け部３１が一体的に形成されている。サブ給紙トレイ３０をメイン給紙トレイ３に対して給送方向と反対側（図２の矢印Ｂ方向参照）に移動させたとき、そのサブ給紙トレイ３０の用紙Ｐ１の給送方向の上流側端部（排紙受け部３１の端部）がメイン給紙トレイ３の用紙の給送方向の上流側端部板３ｅとほぼ同じ後位置になるように、第１規制部４２が設けられている（図２及び図４参照）。
【００４２】
サブ給紙トレイ３０は、その先端側（用紙Ｐ１の給送方向の下流側）の底板（載置部）３０ａの先端に上向き鉤状等の一対の係止片３４が給送方向下流側に突設されている（図２、図３及び図４参照）。この係止片３４は、サブ給紙トレイ３０を給紙可能位置まで移動させたとき、メイン給紙トレイ３における傾斜分離板８に穿設された一対の位置規制溝３５（図５、図７及び図８参照）にそれぞれ係合または載置し、サブ給紙トレイ３０が左右及び下にずれないようにすると共に、サブ給紙トレイ３０を給紙可能位置まで移動させた状態を保持できるように構成されている。なお、一対の係止片３４が一対の位置規制溝３５にそれぞれ係合または載置されてそれ以上下流側に移動不能となる構成を第２規制部としても良い。
【００４３】
従って、サブ給紙トレイ３０の給紙可能位置とは、図４及び図５に示すように、メイン給紙トレイ３をハウジング２における収容部枠２０のうち奥側部材２０ａに対して最接近した位置まで押し込んだ状態（実施例では、一対の係止片３４が一対の位置規制溝３５にそれぞれ係合または載置された状態）で、且つサブ給紙トレイ３０の先端を傾斜分離板８に最接近させた位置であって、サブ給紙トレイ３０における第２収容部３０ｂ上の用紙Ｐ１に給紙ローラ６ａが当接している状態である。
【００４４】
サブ給紙トレイ３０についても、メイン給紙トレイ３と同様の用紙Ｐ１の給送方向と平行な側縁を案内し、且つ位置決めするためのサイドガイド４３ａや、用紙Ｐ１の給送方向上流側端の位置を規制するリヤガイド４３ｂが設けられている（図３、図５及び図７参照) 。
【００４５】
このようにして、給送手段６における給紙ローラ６ａと、傾斜分離板８の幅方向（Ｙ軸方向）の中央部の内面（表面）側に設けられた分離手段としての弾性分離パッド８ａとの協働作用にて、メイン給紙トレイ３またはサブ給紙トレイ３０に堆積された被記録媒体である用紙Ｐ（Ｐ１）を一枚ずつ分離搬送する。分離された用紙Ｐ（Ｐ１）はＵターンパス９を介してメイン給紙トレイ３より上側（高い位置）に設けられた記録部７に給送される。そして、記録部７にて記録された用紙Ｐがその記録面を上向きにして開口部２ａに向かって排出される。
【００４６】
［メインロック機構、操作部及び抵抗手段の構成］
サブ給紙トレイ３０には、当該サブ給紙トレイ３０をメイン給紙トレイ３における給送方向下流側の所定係合位置に対して係合するメインロック機構４４と、該メインロック機構４４のロック位置とロック解除位置とに選択的に位置変更可能な操作部４６と、メインロック機構４４をロック解除位置にセットするように操作部４６を移動させた状態で、ハウジング２の収容部枠２０に対してメイン給紙トレイ３と共にサブ給紙トレイ３０を前記給送方向の前後に移動するとき、前記装置本体に対する移動のロック・アンロック作用を有するサブロック機構４８とが備えられている（図５〜図９参照）。
【００４７】
メインロック機構４４は、ハウジング２に対する各給紙トレイの挿抜方向と交叉する方向、好ましくは直交する方向に作動するように構成されている。そのため、ロック作用が確実となる。そして、メインロック機構４４は、レバー４５と、このレバー４５の先端部に一体的に形成されている係合爪部４５ａと、レバー４５の上面側に一体的に形成されている操作部４６と、メイン給紙トレイ３の側板３ｃに孔状に形成されて係合爪部４５ａが係脱可能な被記係合部４９とを備えている（図５、図６、図８参照）。なお、上記の給送方向下流側の所定係合位置とは、メイン給紙トレイ３の給送方向下流側端部にサブ給紙トレイ３０を位置させた状態（サブ給紙トレイ３０による給送可能位置）での係合位置をいう。
【００４８】
操作部４６の一側部（給送方向と直交し、且つ給送方向上流側の側面部）には、平面視で矢印状の指示部４７が一体的に形成されており、他方、サブ給紙トレイ３０の上面側一側寄り部位には、操作部４６及びレバー４５が給送方向と直交する方向（Ｙ軸方向）に往復的に移動することを許容する装着溝部５０が設けられている。
【００４９】
そして、装着溝部５０の近傍の上面には、操作部４６がＹ軸方向に移動したときの位置により、メイン給紙トレイ３からの給紙動作を許容するか、サブ給紙トレイ３０からの給紙動作を許容するかを選択して示すため、「メイン」や「サブ」と記載された表示部５５が設けられている。
【００５０】
操作部４６の移動に応じて指示部４７が「メイン」や「サブ」の個所を指し示すと、対応してメイン給紙トレイ３から、又はサブ給紙トレイ３０からのいずれか一方の給紙動作を選択し、且つ同時にメイン給紙トレイ３に対するサブ給紙トレイ３０の「ロック位置」または「ロック解除位置」を選択したことになるよう設定されている。
【００５１】
従って、操作部４６は、メイン給紙トレイ３から、又はサブ給紙トレイ３０からのいずれか一方の給紙動作を選択するための指示部４７と、前記ロック位置またはロック解除位置の選択手段とを兼用していることになる。
【００５２】
即ち、サブ給紙トレイ３０の先端部がメイン給紙トレイ３の傾斜分離板８に最接近させた状態で、操作部４６をメイン給紙トレイ３（サブ給紙トレイ３０）の一側（実施例では右側）に近づく方向に移動させると、指示部４７が「サブ」の表示部５５を指し、且つレバー４５の係合爪部４５ａが被記係合部４９に向かって突出して係合し、ロック位置となる（図５、図８（Ｂ）及び図９参照）。以下、この使用態様を、サブモードという。
【００５３】
逆に、操作部４６をメイン給紙トレイ３（サブ給紙トレイ３０）の他側（実施例では左側）方向に移動させると、指示部４７が「メイン」の表示部５５を指し、且つレバー４５の係合爪部４５ａが被記係合部４９から離脱し、ロック解除位置となる（図３、図７及び図８（Ａ）参照）。以下、この使用態様を、メインモードという。
【００５４】
なお、メインロック機構４４におけるレバー４５には不図示の付勢手段としてのバネにて、当該レバー４５をロック方向に付勢することが好ましい。
【００５５】
サブロック機構４８は、メイン給紙トレイ３と共にサブ給紙トレイ３０をその移動方向（給送方向）の上流側または下流側に移動させた状態のとき、当該ハウジング２に対してロックまたはアンロック（ロック解除）作用を行なうものである。より詳しくは、図３及び図１０に示すように、サブ給紙トレイ３０の左右両側部のうち排紙受け部３１の個所の下面側に移動自在に支持された平面視で矢印状の係合体５１と、この係合体５１をサブ給紙トレイ３０の左右両側部から外方向に突出付勢させるコイルバネ等の付勢手段５２と、ハウジング２における収容部枠２０の左右両側部材２０ｂの内側面に凹凸状（平面視Ｗ字状等）に形成されて係合体５１と係脱可能なサブ被係合部５３とを備えたものである。
【００５６】
なお、サブ被係合部５３の形成位置は、サブ給紙トレイ３０の後端部（給送方向上流側端部）がメイン給紙トレイ３の後端部（給送方向上流側端部）に実質的に重なる位置のとき、係合体５１とサブ被係合部５３とが係合可能（ロック状態）であり、サブ給紙トレイ３０を給送方向下流側に移動した状態では、係合体５１とサブ被係合部５３との係合が解除されて、突出状態の係合体５１が長い凹溝部（遊び区間）５４内で給送方向に沿って移動可能（アンロック状態）となる構成である。サブ給紙トレイ３０をメイン給紙トレイ３に対して大きく給送方向下流側に押し込んだとき、凹溝部５４の最奥部５４ａに係合体５１が当接した位置で、それ以上下流側に移動不能となるので、この凹溝部５４の最奥部５４ａを第１規制部としても良い。
【００５７】
サブロック機構４８における係合体５１とサブ被係合部５３との係合力（ロック力）は、メインロック機構４４におけるレバー４５の係合爪部４５ａと被記係合部４９との係合力（ロック力）よりも弱く設定されている。
【００５８】
［サブモード］
次に、図１１（Ａ）〜図１１（Ｃ）を参照しながら、サブモードの場合の取り扱いについて説明する。図１１（Ａ）に示すように、使用者はサブ給紙トレイ３０と共にメイン給紙トレイ３を収容部枠２０から抜き出し、サブ給紙トレイ３０をメイン給紙トレイ３の給送方向下流側端まで移動させる。次いで、操作部４６を移動させて、指示部４７が「サブ」の表示部５５を指すようにセットする。そうすると、メインロック機構４４におけるレバー４５が横方向（給送方向と直交する方向）に移動し、係合爪部４５ａが被記係合部４９に係合する。この状態でサブ給紙トレイ３０の第２収容部３０ｂに小サイズ（例えば写真のＬ版サイズ）の用紙Ｐ１を少なくとも１枚載置する。
【００５９】
次いで、図１１（Ｂ）に示すように、使用者はメイン給紙トレイ３を手でもって収容部枠２０内に押し込む。サブ給紙トレイ３０はメイン給紙トレイ３に対してメインロック機構４４にて係合（ロック）されており、そのロック力は、サブ給紙トレイ３０における係合体５１と収容枠２０におけるサブ被係合部５３との間のサブロック機構４８のロック力より強いため、メイン給紙トレイ３を収容部枠２０に対して押し込んだり引き出しするときにも、サブロック機構４８における係合体５１はサブ被係合部５３との係合抵抗力を乗り越えて進退動できる。従って、使用者はサブ給紙トレイ３０を触ることなく、メイン給紙トレイ３と共に、サブ給紙トレイ３０を進退動させることができる。
【００６０】
図１１（Ｃ）に示すように、メイン給紙トレイ３を収容枠２０の最奥部まで押し込めば、凹溝部５４の最奥部５４ａ（第１規制部）に係合体５１が当接した位置で、それ以上下流側にサブ給紙トレイ３０は移動不能となるので、当該メイン給紙トレイ３に対して位置固定的なサブ給紙トレイ３０は自動的に給送可能位置にセットされたことになる。
【００６１】
このようにして、操作部４６の移動に応じて指示部４７が「サブ」という表示部５５を指し示すと共に、メインロック機構４４における係合爪部４５ａが被記係合部４９に係合するロック位置となるので、使用者は、使用を希望する用紙のサイズに応じて、メインロック機構４４における操作部４６を所定の表示部５５の位置に移動させるだけで良い。
【００６２】
［メインモード］
次に、図１２（Ａ）〜図１２（Ｅ）を参照しながら、メインモードの場合の取り扱いについて説明する。図１２（Ａ）に示すように、使用者はサブ給紙トレイ３０と共にメイン給紙トレイ３を収容部枠２０から抜き出し、サブ給紙トレイ３０をメイン給紙トレイ３の給送方向下流側端まで移動させる。この状態では、メイン給紙トレイ３の給送方向上流側の部位が上方に開放されているので、この開放部分から第１収容部３ｂに対して用紙Ｐを補充することができる。
【００６３】
次いで、操作部４６を移動させて、指示部４７が「メイン」の表示部５５を指すようにセットする。そうすると、メインロック機構４４におけるレバー４５が横方向（給送方向と直交する方向）に移動し、係合爪部４５ａが被記係合部４９から係合解除（ロック解除）される。この状態で、図１２（Ｂ）に示すように、使用者はメイン給紙トレイ３を手でもって収容部枠２０内に押し込む。サブ給紙トレイ３０はメイン給紙トレイ３に対して係合解除（ロック解除）されているので、当該サブ給紙トレイ３０はメイン給紙トレイ３に対して給送方向上流側への移動が可能である。そして、サブ給紙トレイ３０におけるサブロック機構４８の係合体５１が収容部枠２０の側部材のサブ被係合部５３の凸部に当接すると、係合体５１が一旦付勢手段５２の付勢力に抗して後退したのち、サブ被係合部５３の凹部に係合体５１が嵌まり込んでロックされる（図１２（Ｃ）参照）。そのまま、メイン給紙トレイ３をさらに押し込むと、サブ給紙トレイ３０は収容部枠２０に位置固定された状態（ロックされた状態）にてメイン給紙トレイ３のみが給送方向下流側に移動するから、サブ給紙トレイ３０はメイン給紙トレイ３の給送方向上流側へ相対的に移動したことになる。
【００６４】
メイン給紙トレイ３の傾斜分離板８が奥側部材２０ａに最接近した位置で、それ以上のメイン給紙トレイ３の押込み動は不能となる（図１２（Ｄ）参照）。この状態では、メイン給紙トレイ３は給送可能位置にセットされるから、第１収容部３ｂに堆積された用紙Ｐを給送手段６にて給送できることになる。他方、サブ給紙トレイ３０はメイン給紙トレイ３の給送方向上流側端部（第１規制部４２）の個所でそれ以上下流側に移動不能となる。この状態では、メイン給紙トレイ３から給送された用紙Ｐが画像記録されたのち、排紙受け部３１上に排出されるのである。
【００６５】
メイン給紙トレイ３を給送方向上流側へ引き出すときにも、サブ給紙トレイ３０は収容部枠２０に位置固定された状態（ロックされた状態）であるので、図１２（Ｅ）に示すように、メイン給紙トレイ３のみが給送方向上流側、つまり収容部枠２０から離間するように移動できる。その結果、メイン給紙トレイ３の給送方向上流側が開放されて、第１収容部３ｂへの用紙Ｐの補給が容易にできることになる。
【００６６】
さらに大きく引き出すと、メイン給紙トレイ３における第２規制部によりサブ給紙トレイ３０は引き出し方向への力を受け、その力が係合体５１とサブ被係合部５３とのロック力よりも大きいので、図１２（Ａ）に示すように、メイン給紙トレイ３と共にサブ給紙トレイ３０も収容枠２０から抜き出すことが可能となる。
【００６７】
操作部４６を「メイン」という表示部５５側に移動するだけで、メインモードに設定することができ、サブ給紙トレイ３０を非給紙可能位置に移動させる必要がなく、使用者は、戸惑うことなく、所望のサイズの用紙Ｐについて画像記録を実行することができる。
【００６８】
これらのサブモード及びメインモードを考慮すると、サブ給紙トレイ３０はハウジング２の開口部２ａに近い位置で固定されることが、排紙受けのために望ましいから、収容部枠２０におけるサブ被係合部５３は、メイン給紙トレイ３の給送方向の上流側端、つまりハウジング２の開口部２ａに近い側に配置することが好ましい。
【００６９】
また、上述のように、第１規制部及び第２規制部をメイン給紙トレイ３に備えることで、給送方向の上流側及び下流側へのサブ給紙トレイ３０の移動量を所定以下に規制（制限）することができ、サブ給紙トレイ３０が勝手な動きしないようにできる。なお、サブロック機構４８における係合体５１と、付勢手段５２と、サブ被係合部５３との構成は、収容部枠２０に対するサブ給紙トレイ３０の進退動を抑制する抵抗部としての機能を有している。
【００７０】
本発明は上記記述及び図面によって説明した実施形態に限定されるものではなく、要旨を逸脱しない範囲内で種々変更して実施することができる。例えば、操作部４６とレバー４５とを回動するリンクを介して連結されていても良い。また、本発明の構成を有する給紙装置を備えた画像形成装置として、デジタルカメラ等の外部機器が接続されて、デジタルカメラ等から出力される画像データを用紙に記録したり、メモリカード等の各種記憶媒体の外部メモリを取り込む（装填する）スロット部を設けておけば、該記憶媒体に記録された画像データ等を用紙に記録することが容易となる。
【符号の説明】
【００７１】
１    画像形成装置
３    メイン給紙トレイ
３ｂ  第１収容部
６    給送手段
３０  サブ給紙トレイ
３０ｂ    第２収容部
４４    メインロック機構
４５    レバー
４５ａ  係合爪部
４６    操作部
４７    指示部
４８    サブロック機構
４９    被係合部
５１    係合体
５３    サブ被係合部
５５    表示部
【図１】
2011073825.tif 000003
【図２】
2011073825.tif 000004
【図３】
2011073825.tif 000005
【図４】
2011073825.tif 000006
【図５】
2011073825.tif 000007
【図６】
2011073825.tif 000008
【図７】
2011073825.tif 000009
【図８】
2011073825.tif 000010
【図９】
2011073825.tif 000011
【図１０】
2011073825.tif 000012
【図１１】
2011073825.tif 000013
【図１２】
2011073825.tif 000014